(57)【要約】  本発明は、編機を用いて織物を編成するための方法および装置を提供し、編機は、対応する複数の編針を用いて複数の糸を編むように構成され、各編針は、ステッチの編成中、複数の糸の１つに連結しそれを編むように構成され、方法は、編成されるパターンに依存してステッチごとにステッチ長さを制御可能に変化させることを含む。【選択図】図１８
2020509257.tif 000002
【特許請求の範囲】
【請求項１】
編機を用いて織物を編成する方法であって、前記編機は、複数の編針を用いて複数の糸を編むように構成され、各編針は、ステッチの編成中、前記複数の糸の１つに連結しそれを編むように構成され、
編成されるパターンに依存してステッチごとにステッチ長さを制御可能に変化させることを含む方法。
【請求項２】
編成織物の密度は、存在するステッチに対するスワップの比として定義され、前記ステッチ長さは、前記編成織物の前記パターンの前記密度に依存して変化する、請求項１に記載の方法。
【請求項３】
前記編機は、各々が対応する針を制御するための複数の機構を含み、前記方法は、所望の糸ステッチ長さを実現するために前記機構を個々に制御することを含む、請求項１または２に記載の方法。
【請求項４】
前記個々の機構の各々はステッパモータであり、前記方法は、所望のステッチ長さを実現するために前記様々なステッパモータの動作を制御することを含む、請求項３に記載の方法。
【請求項５】
前記ステッチ長さは、編成されるパターンの前記密度に少なくとも基づいてパラメータを定義するモデルに従って決定される、請求項１〜４のいずれかに記載の方法。
【請求項６】
前記モデルは、ステッチ長さを決定するための多変量モデルである、請求項５に記載の方法。
【請求項７】
前記多変量モデルからの出力を得ることは、
ＡｐＳおよびＤグラフの平均勾配
ＡｐＳ切片およびＴ直線の勾配
ＡｐＳ切片およびＴ直線の切片
ＲおよびＤ傾向線の平均勾配
Ｒ切片およびＴ直線の勾配
Ｒ切片およびＴ直線の切片
を含むグループから選択されたパラメータのグラフを生成することを含む、請求項６に記載の方法。
【請求項８】
前記モデルは、編成される織物に関して定義された寸法ｘにおけるステッチ長さＳｘおよびｙにおけるＳｙを決定するように構成され、前記モデルは、以下のパラメータ、
【数１】
2020509257.tif 000008
を含み、
ａ：前記ＡｐＳおよびＤグラフの前記平均勾配
ｂ：前記ＡｐＳ切片およびＴ直線の前記勾配
ｃ：前記ＡｐＳ切片およびＴ直線の前記切片
ｅ：前記ＲおよびＤ傾向線の前記平均勾配
ｆ：前記Ｒ切片およびＴ直線の前記勾配
ｇ：前記Ｒ切片およびＴ直線の前記切片
である、請求項５〜７のいずれかに記載の方法。
【請求項９】
追加のパラメータｈが用いられ、ｈは、前記Ｒ−Ｄ勾配およびＴ直線の前記勾配として定義され、
Ｒ＝（ｅＴ＋ｈ）Ｄ＋ｆＴ＋ｇ
である、請求項８に記載の方法。
【請求項１０】
密度は、編成される前記パターンの初期グラフを入力として受け取り、その後、以下のステップ、
編成される前記パターンに基づいて初期密度マップを生成すること、および
処理された密度マップを生成するために前記初期密度マップにフィルタを適用すること
を実行することによって決定される、請求項１〜９のいずれかに記載の方法。
【請求項１１】
前記処理された密度マップに、以下のステップ、
前記織物に関する所望の出力を実現するために必要なステッチ長さを決定するためにパラメータ化モデルを用いて初期テンションマップを生成すること
を適用することを含む、請求項１０に記載の方法。
【請求項１２】
前記初期テンションマップから、用いられる個々のテンションの数が低減される量子化テンションマップを生成することを含む、請求項１１に記載の方法。
【請求項１３】
前記低減されたテンションの数は９〜１６である、請求項１２に記載の方法。
【請求項１４】
前記量子化テンションマップ内で用いられる前記テンションの数は１５である、請求項１３に記載の方法。
【請求項１５】
織物の編成中に織物全体に適用される、編機におけるステッチのステッチ長さを決定する方法であって、前記織物におけるスワップの密度に依存して、それに応じて前記ステッチ長さを変化させることを含む方法。
【請求項１６】
編成織物の前記密度は、存在するステッチに対するスワップの比として定義され、前記ステッチ長さは、前記編成織物のパターンの前記密度に依存して変化する、請求項１５に記載の方法。
【請求項１７】
前記ステッチ長さは、編成されるパターンの前記密度に少なくとも基づいてパラメータを定義するモデルに従って決定される、請求項１５または１６に記載の方法。
【請求項１８】
前記モデルは、編成される織物に関して定義された寸法ｘにおけるステッチ長さＳｘおよびｙにおけるＳｙを決定するように構成され、前記モデルは、以下のパラメータ、
【数２】
2020509257.tif 000009
を含み、
ａ：ＡｐＳおよびＤグラフの平均勾配
ｂ：ＡｐＳ切片およびＴ直線の勾配
ｃ：ＡｐＳ切片およびＴ直線の切片
ｅ：ＲおよびＤ傾向線の平均勾配
ｆ：Ｒ切片およびＴ直線の勾配
ｇ：Ｒ切片およびＴ直線の切片
である、請求項１７に記載の方法。
【請求項１９】
追加のパラメータｈが用いられ、ｈは、前記Ｒ−Ｄ勾配およびＴ直線の前記勾配として定義され、
Ｒ＝（ｅＴ＋ｈ）Ｄ＋ｆＴ＋ｇ
である、請求項１８に記載の方法。
【請求項２０】
密度は、編成される前記パターンの初期グラフを入力として受け取り、その後、以下のステップ、
編成される前記パターンに基づいて初期密度マップを生成すること、および
処理された密度マップを生成するために前記初期密度マップにフィルタを適用すること
を実行することによって決定される、請求項１５〜１８のいずれかに記載の方法。
【請求項２１】
前記処理された密度マップに、以下のステップ、
前記織物に関する所望の出力を実現するために必要なステッチ長さを決定するためにパラメータ化モデルを用いて初期テンションマップを生成すること
を適用することを含む、請求項２０に記載の方法。
【請求項２２】
前記初期テンションマップから、用いられる個々のテンションの数が低減された量子化テンションマップを生成することを含む、請求項２１に記載の方法。
【請求項２３】
前記低減されたテンションの数は９〜１６である、請求項２２に記載の方法。
【請求項２４】
前記量子化テンションマップ内で用いられる前記テンションの数は１５である、請求項２３に記載の方法。
【請求項２５】
前記ステッチ長さは、編成される物品において用いられる糸の長さを列ごとに制御するために変化する、請求項１〜２４のいずれかに記載の方法。
【請求項２６】
織物を編成するための編機であって、
ステッチの編成中、各々が複数の糸の１つに連結しそれを編むように構成された複数の編針と、
編成されるパターンに依存して各ステッチのステッチ長さを制御可能に変化させるためのコントローラと
を備える編機。
【請求項２７】
各々が前記糸の１または複数のテンションを変化させるように構成された複数の可変テンション付与装置を備える、請求項２６に記載の編機。
【請求項２８】
前記可変テンション付与装置はステッパモータである、請求項２７に記載の編機。
【請求項２９】
前記コントローラは、前記ステッチ長さおよび／または織物を編成するために用いられる糸に付与されるテンションを決定するために請求項１〜２５のいずれかに記載の方法を実行するように構成されたプロセッサを備える、請求項２６〜２８のいずれかに記載の編機。
【請求項３０】
編機用のコントローラであって、前記編機は、ステッチの編成中、各々が複数の糸の１つに連結しそれを編むように構成された複数の編針を用いて織物を編成するように構成され、前記コントローラは、
編成されるパターンの細部を受信し、編成される前記パターンの前記受信した細部に依存して、編成中、ステッチ長さおよび／または糸に付与されるテンションを決定する
ように構成された、コントローラ。
【請求項３１】
前記パターンの細部を受信し、前記パターンの密度に関する値を決定するように構成され、前記密度は、編成される前記パターンに存在するステッチに対するスワップの比として定義され、前記コントローラは、前記パターンの前記密度に依存してステッチ長さを変化させるように構成される、請求項３０に記載のコントローラ。
【請求項３２】
前記ステッチ長さおよび／または織物を編成するために用いられる糸に付与されるテンションを決定するために請求項１〜２５のいずれかに記載の方法を実行するように構成されたプロセッサを備える、請求項３０または３１に記載のコントローラ。
【発明の詳細な説明】
【技術分野】
【０００１】
本発明は、編機を用いて織物を編成する方法および編機に関する。
【背景技術】
【０００２】
編機は一般に、衣服または衣服を製造するための織物を製造するために用いられる。一般に、織物にはパターンが提供され、パターンは、編成プロセスにおいて使用する適切な色の糸の選択によって作成され得る。
【０００３】
２色の糸を用いる２層衣服の製造において、表層に第１の色のステッチが存在することにより、裏層における対向ステッチは第２の色となる。衣服におけるパターンの形成は、表層における２色の組み合わせの結果である。第２の色のステッチが衣服の前面に表示されるように、第１の色糸は裏層へ移行する。同様に、第１の色のステッチが衣服の前面に表示されるように、第２の色糸は裏層へ移行する。図１Ａおよび図１Ｂを参照して後述されるように、前面に出現する色糸を変えることによって衣服にパターンを形成するこのプロセスは、「スワッピング」として知られている。個々のスワップにおいて、パネルの層間にわずかな糸の余剰が存在する。この余剰は単一のステッチに関して非常に小さな実際量であるが、衣服全体または織物全長では、変動が著しくなり得る。
【０００４】
本明細書において、異なる２色の２つの糸を参照して主に説明されるが、実際は編成および編機の分野において（任意の数の異なる色または同色の）任意の数の糸が使用され得るため、本開示がそのように限定されないことが理解される。
【０００５】
編機は、大量の衣服を共通パターンに製造するために効率的に用いられ得ることが、長きにわたり知られてきた。たとえばＳｔｏｌｌ社または島精機によって製造されるような編機など、そのような機械が動作する時、機械への入力ファイルが決定されなければならない。入力ファイルは、機械が衣服または織物を製造可能であるために必要な様々なパラメータを指定する。これは、糸の種類および色、および編成されるパターンを含む。
【０００６】
多数の衣服を製造する時、最初に校正段階が存在し、ここで、たとえばステッチの数およびサイズ（一般にステッチ長さ）などのパラメータは、選択されたパターンに製造される衣服のサイズが所望のサイズと一致することを確実にするために、試行錯誤を用いて変えられ得る。そのような編機を用いることにより、同じ編成パターンが使用される場合でも、糸が変更されると、製造される織物または衣料品の寸法は異なり得る可能性がある。また、異なる編成パターンが使用される場合、ｘおよびｙ寸法においてステッチの全体数が同じ場合でも、製造された物品のサイズは異なり得る。
【０００７】
ステッチ長さおよびテンションが関連付けられ得る１つの状況を理解するために、ここで図１Ｃ〜１Ｇが参照される。これらの図は、複数の針１が傾斜ベッド３上に配置された２重ベッド編機の一種の側面図および端面図を様々に示す。針の各々は、使用中、一般に針１に垂直に走る糸（不図示）と選択的に係合するように構成されたフック部５を有する。図１Ｃは、傾斜ベッド上に配置された複数の針１を示す。針は全て、レスト位置にある。図１Ｄは、図１Ｃにおける機械の構成の端面図を示す。
【０００８】
編成中、図１Ｅに示すように、針は、頂部にある時に糸を捕捉し、針の下方向への運動中にステッチに糸を引き込むように、順番に上げ下げされる。図１Ｆは、図１Ｅにおける機械の構成の端面図を示す。図１Ｆにおいて、両方のベッドが見えるが、図１Ｃおよび図１Ｅにはベッドの片方しか示されない。見て分かるように、図１Ｃの図と比べて、示された２つの針は、それらのフックが所望の糸を捕捉することができるように持ち上げられている。針はその後、引き下げられる。これは、３つの針のうち中央の１つがステッチを完成させるプロセス中であるために他の２つよりも低くなっていることを示す図１Ｇに模式的に示される。中央の針が牽引される深さが、その特定のステッチのステッチ長さを制御する。
【０００９】
理解されるように、本明細書で説明されるものは、１つの特定の種類の編機、およびその中でステッチ長さまたはテンションがどのように制御され得るかである。上記説明は、編機の種類に関わらず適用され、たとえば単一ベッドの編機または実際に任意の適切な種類の編機に等しく適用される。実際、利用可能な多くの様々な種類の編機が存在するが、同じ一般原理がステッチ長さまたはテンションの制御に適用される。
【００１０】
たとえば２０００のランのジャンパーなど、多数の類似製品が製造される場合、編機に関する所望の構成が実現され得るまで複数回の反復が行われるとしても、それは重要な問題ではない。２０００のランのうち「廃棄」となる５つの衣服相当の織物は、使用される材料全体の中で小さな割合を示す。
【００１１】
現在、共通デザインに対する物品の製造ランをますます小さくし、それどころか、選択されたデザインに従って単一の物品のみを製造することができないかという要望が存在する。この状況において、試行錯誤は明らかに、編機のための入力設定に到達するための商業的に実用可能な方法ではない。これは、著しい量の廃棄物を意味する。
【００１２】
編機は既知であり、動作または制御に関する複数の例および方法が、ＰＣＴ／ＥＰ２０１５／０６１３７５号、ＰＣＴ／ＥＰ２０１５／０７６４８５号、ＰＣＴ／ＥＰ２０１６／０５２５７１号、およびＵＳ−Ａ−２０１５／０３６６２９３号において説明される。
【発明の概要】
【課題を解決するための手段】
【００１３】
本発明の第１の態様によると、編機を用いて織物を編成する方法が提供され、編機は、
各々が、ステッチの編成中、複数の糸の１つに連結しそれを編むように構成された複数の編針を用いて複数の糸を編むように構成され、方法は、編成されるパターンに依存してステッチのステッチ長さを制御可能に変化させることを備える。
【００１４】
スワップの密度（または数）に従って編成される物品全体でステッチのステッチ長さを変化させることによって、最終的な出力サイズの予測性の程度が高められ得ることが認識されている。編機の従来の使用において、編成される衣服または織物が予想される所望のサイズに至ることを確実にするために、たとえばステッチ長さまたはテンションなどの入力パラメータを決定するためにある程度の試行錯誤が用いられることが一般的である。本方法において、ステッチ長さは、製造された物品が既定のサイズを有するように、編成されるパターンに依存して、たとえば密度（単位面積または列に沿った単位長さごとのスワップの数）に依存して変化する。これは、設定パターンが使用され命令がそれに従った場合でも、誤ったサイズになるリスクを伴わずに編機で少数の物品が作成されることを可能にするという点で有利である。他の例において、ステッチ長さは、編成されるパターン内のスワップの数に依存して変化する。これは当然、密度に比例するが、密度自体の値を決定することなく処理が行われ得る。
【００１５】
個々のステッチにテンションを割り当てることに複数の利点が存在する。最も顕著な点として、パターン密度が変化する織物または衣服の領域に関して、均一な寸法のサンプルまたは製品をもたらすためにステッチのテンションが変えられ得る。本方法によって可能であるように、ステッチごとにテンションを付与することによって、これらの問題は、各ステッチの寸法を動的に修正することによって回避することができる。これによってデザイナーは所与のデザインが予定通りに出現するという確信を与えられ、これは、多数のデザイナーまたはカスタムデザイン製品が正確かつ一貫性をもって製造されなければならない場合、特に重要である。
【００１６】
任意の特定の針が降下する深さ（およびその結果ステッチに引き込まれる糸の量）は、ステッパモータによって制御される。したがって、最も一般的に言及されるパラメータは、針が牽引される深さを意味するステッチ長さである。深さは、そのような機械内のステッパモータによって特に制御されるものである。実際に制御されるのは針が牽引される深さであるが、機械への糸の供給は摩擦によって制御されるため、これは、「テンション制御」とも称され得る。任意の所与の状況において、糸は何らかの定められたテンションであり、針が深く牽引されるほど、ステッチ内の糸に加わるテンションは大きい。場合によっては、同じ針落ちが適用される場合でも、糸が機械にはいる時の摩擦による糸張力にも依存し得るため、ステッチに同じ長さの糸が使用されることを保証することは困難であり得る。いずれにしても、理解されるように、上述したパラメータが管理され、各ステッチにおける糸の長さおよび／またはテンションが制御され得るように、編機内のステッパモータに制御が適用され得る。
【００１７】
実施形態において、編成織物の密度は、存在するステッチに対するスワップの比として定義され、ステッチ長さは、編成織物のパターンの密度に依存して変化する。上述したように、編成織物におけるスワップの数に基づいてステッチ長さを決定する代わりに、この決定は、編成織物におけるスワップの数に基づいてなされ得る。
【００１８】
実施形態において、編機は、各々が対応する針を制御するための複数の機構を含み、方法は、所望の糸ステッチ長さを実現するために機構を個々に制御することを含む。
【００１９】
実施形態において、個々の機構の各々はステッパモータであり、方法は、所望のステッチ長さを実現するために様々なステッパモータの動作を制御することを含む。たとえばＳｔｏｌｌ社または島精機製のものなどの編機において一般的に用いられるステッパモータは、編成中の衣服または織物全体で変化するステッチ長さを実現するために、ステッチごとに糸のテンションを変化させるように制御され得る。他の例において、用いられる粒度のレベルはステッチごとではなく、たとえば４または６ステッチのブロックの各々が共通の長さまたはテンションを割り当てられるように量子化レベルで行われる。
【００２０】
実施形態において、ステッチ長さは、編成されるパターンの密度に少なくとも基づいてパラメータを定義するモデルに従って決定される。
【００２１】
実施形態において、モデルは、編成される織物に関して定義された寸法ｘにおけるステッチ長さＳｘおよびｙにおけるＳｙを決定するように構成され、モデルは、以下のパラメータ、
【００２２】
【数１】
2020509257.tif 000003
【００２３】
を含み、
ａ：ＡｐＳおよびＤグラフの平均勾配
ｂ：ＡｐＳ切片およびＴ直線の勾配
ｃ：ＡｐＳ切片およびＴ直線の切片
ｅ：ＲおよびＤ傾向線の平均勾配
ｆ：Ｒ切片およびＴ直線の勾配
ｇ：Ｒ切片およびＴ直線の切片
である。
【００２４】
実施形態において、追加のパラメータｈが用いられ、ｈは、Ｒ−Ｄ勾配およびＴ直線の切片として定義され、Ｒ＝（ｅＴ＋ｈ）Ｄ＋ｆＴ＋ｇである。
【００２５】
実施形態において、密度は、編成されるパターンの初期グラフを入力として受け取り、その後、以下のステップ、編成されるパターンに基づいて初期密度マップを生成すること、および処理された密度マップを生成するために初期密度マップにフィルタを適用することを実行することによって決定される。
【００２６】
実施形態において、方法は、処理された密度マップに以下のステップ、織物に関する所望の出力を実現するために必要なステッチ長さを決定するためにパラメータ化モデルを用いて初期テンションマップを生成することを適用することを含む。
【００２７】
実施形態において、方法は、初期テンションマップから、用いられる個々のテンションの数が低減された量子化テンションマップを生成することを含む。
【００２８】
実施形態において、低減されたテンションの数は９〜１６である。
【００２９】
実施形態において、量子化テンションマップ内で用いられるテンションの数は１５である。
【００３０】
本発明の第２の態様によると、織物の編成中に織物全体に適用される、編機におけるステッチのステッチ長さを決定する方法が提供され、方法は、織物におけるスワップの密度または数に依存して、それに応じてステッチ長さを変化させることを含む。
【００３１】
実施形態において、編成織物の密度は、存在するステッチに対するスワップの比として定義され、ステッチ長さは、編成織物のパターンの密度に依存して変化する。
【００３２】
実施形態において、ステッチ長さは、編成されるパターンの密度に少なくとも基づいてパラメータを定義するモデルに従って決定される。
【００３３】
実施形態において、モデルは、編成される織物に関して定義された寸法ｘにおけるステッチ長さＳｘおよびｙにおけるＳｙを決定するように構成され、モデルは、以下のパラメータ、
【００３４】
【数２】
2020509257.tif 000004
【００３５】
を含み、
ａ：ＡｐＳおよびＤグラフの平均勾配
ｂ：ＡｐＳ切片およびＴ直線の勾配
ｃ：ＡｐＳ切片およびＴ直線の切片
ｅ：ＲおよびＤ傾向線の平均勾配
ｆ：Ｒ切片およびＴ直線の勾配
ｇ：Ｒ切片およびＴ直線の切片
である。
【００３６】
実施形態において、追加のパラメータｈが用いられ、ｈは、Ｒ−Ｄ勾配およびＴ直線の切片として定義され、Ｒ＝（ｅＴ＋ｈ）Ｄ＋ｆＴ＋ｇである。
【００３７】
実施形態において、密度は、編成されるパターンの初期グラフを入力として受け取り、その後、以下のステップ、編成されるパターンに基づいて初期密度マップを生成すること、および処理された密度マップを生成するために初期密度マップにフィルタを適用することを実行することによって決定される。
【００３８】
実施形態において、方法は、処理された密度マップに、以下のステップ、織物に関する所望の出力を実現するために必要なステッチ長さを決定するためにパラメータ化モデルを用いて初期テンションマップを生成することを適用することを含む。
【００３９】
実施形態において、方法は、初期テンションマップから、用いられる個々のテンションの数が低減された量子化テンションマップを生成することを含む。
【００４０】
実施形態において、低減されたテンションの数は９〜１６である。
【００４１】
実施形態において、量子化テンションマップ内で用いられるテンションの数は１５である。
【００４２】
実施形態において、ステッチ長さは、編成される物品において用いられる糸の長さを列ごとに制御するために変化する。すなわち、モデルは、列全体にわたりステッチ長さを決定するために用いられ、個々のステッチ長さは、編成物品の列全体にわたり所望の長さの糸が使用されることを確実にするために範囲内で変化し得る。
【００４３】
本発明の第２の態様によると、織物を編成するための編機が提供され、編機は、各々が複数の糸の１つに連結しそれを編むように構成された複数の編針と、編成されるパターンに依存して各ステッチのステッチ長さを制御可能に変化させるためのコントローラとを備える。
【００４４】
実施形態において、編機は、各々が糸の１または複数のテンションを変化させるように構成された複数の可変テンション付与装置を備える。
【００４５】
実施形態において、可変テンション付与装置はステッパモータである。
【００４６】
実施形態において、コントローラは、ステッチ長さおよび／または織物を編成するために用いられる糸に付与されるテンションを決定するために本発明の第１の態様の方法を実行するように構成されたプロセッサを備える。
【００４７】
本発明の第３の態様によると、編機用のコントローラが提供され、上記編機は、各々が複数の糸の１つに連結しそれを編むように構成された複数の編針を用いて織物を編成するように構成され、コントローラは、編成されるパターンの細部を受信し、受信した編成されるパターンの細部に依存して、編成中、ステッチ長さおよび／または糸に付与されるテンションを決定するように構成される。
【００４８】
実施形態において、コントローラは、パターンの細部を受信し、パターンの密度に関する値を決定するように構成され、密度は、編成されるパターンに存在するステッチに対するスワップの比として定義され、コントローラは、パターンの密度に依存してステッチ長さを変化させるように構成される。
【００４９】
実施形態において、コントローラは、ステッチ長さおよび／または織物を編成するために用いられる糸に付与されるテンションを決定するために本発明の第１の態様の方法を実行するように構成されたプロセッサを備える。
【００５０】
本発明の実施形態は、以下、添付図面を参照して詳しく説明される。
【図面の簡単な説明】
【００５１】
【図１Ａ】異なる２色の糸で形成された織物を通る部分におけるステッチの略図を示す。
【図１Ｂ】異なる２色の糸で形成された織物を通る部分におけるステッチの略図を示す。
【図１Ｃ】２重ベッド編機の略図を示す。
【図１Ｄ】２重ベッド編機の略図を示す。
【図１Ｅ】２重ベッド編機の略図を示す。
【図１Ｆ】２重ベッド編機の略図を示す。
【図１Ｇ】２重ベッド編機の略図を示す。
【図２】織物に関する選択的パターン構成の３つの図を示す。
【図３】編成織物のサンプルの面積の近似値を測定および決定するための方法を模式的に示す。
【図４】編成織物に関する面積とともにスワップ密度の変動を示すグラフである。
【図５】様々なステッチテンションに関する密度とともにステッチごとの面積（ＡＰＳ）の変動を示すグラフである。
【図６】編み糸のテンションＴと図５のＡＰＳグラフの切片との間の関係を示す。
【図７】サンプル内の全てのステッチの平均Ｙ寸法にわたる平均Ｘ寸法に等しいパラメータＲと、複数の様々な糸張力に関するテンションとの間の関係を示す。この図は、様々なステッチテンションに関するＲ−Ｄ直線の様々な勾配を示す。
【図８】テンションとＲ切片との間の逆直線関係を示す。
【図９】様々なステッチテンションにおける３色織物の密度に対するＡＰＳの変動を示す。
【図１０】図９のグラフを決定するために用いられた３色織物に関してＡＰＳ切片とテンションとの間の変動を示す。
【図１１】様々なテンションに関する３色織物の密度に対するＲに伴う変動を示す。
【図１２】図１１のグラフのＲ切片における変動を示す。
【図１３】様々なステッチ密度を用いて作製された２色織物を洗浄することによる寸法の変化の図を示す。
【図１４】３色織物の寸法の変化を示すこと以外、図１３のグラフと同様のグラフである。
【図１５】編機への入力を提供する際に用いるための生成された密度マップ、パターン、および修正された密度マップを示す。
【図１６】図１６ａは、図１５ａと同じ生成された密度マップを示す。図１６ｂ，ｃは、標的テンションマップおよび修正されたテンションマップを示す。
【図１７】図１７ａは、生成されたテンションマップを示す。図１７ｂは、量子化テンションマップを示す。
【図１８】テンションおよびパターン密度に対するステッチ長さの変動を示す３次元プロットである。
【図１９】様々な個々のステッチ長さに関して図１７の３次元プロットを通る複数の部分を示す。
【図２０】本方法を実装するための編機および制御システムの略図である。
【発明を実施するための形態】
【００５２】
編機を用いて織物を編成する方法および装置が提供される。編機は、使用中、複数の編針を用いて複数の糸を編むように構成される。各編針は、編成中、複数の糸の１つに連結されるように構成される。すなわち、針によって作成されるステッチごとに、各針は、複数の糸の１つに関連している。糸の各々に付与されるテンションは、編成されるパターンに依存して制御可能に変化する。具体的には、編成織物またはジャカードが十分に制御されることを可能にするためにテンション制御モデルが用いられる。場合によってはステッチごとに、用いられるテンションを制御することによって、この方法および装置は、独自のユーザ生成パターンが所望の寸法で製造され、一貫性および信頼性のある形状、概観、および質感を有することを可能にする。
【００５３】
また、後述するように、この方法は、洗浄前および洗浄後両方のパネルサイズの予測が正確に実現されることを可能にする。方法は、メリノウール、カシミア、およびその他を含むがこれに限定されない任意の適切な糸に適用される。上述したように、衣服のカスタマイズがますます顧客に所望されるようになったことにより、大規模な工業用編機を用いて個別的な製品が編成されること、および一定かつ既定のサイズを有することができることを可能にする方法および装置が大いに望ましいという場合が予想される。入力手段として同様のパターンが使用される場合でも生じる編機からの出力サイズのばらつきに関する上述した問題は、本方法によると、高費用の試行錯誤方法論が最小限にされ、および／または完全に免じられ得ることを意味する。これによって、工業用編機での（たとえば１００または１０００の同じ製品のランとは対照的な）個別的な衣服の製造が技術的かつ商業的に可能なものとなる。
【００５４】
図１ａは、異なる２色の糸で形成された織物を通る部分における４つのステッチの略図を示し、示される特定の部分には、２つの糸があるが切替え（１つの層から別の層への移行）はない。すなわち、４つのステッチ全てに関して、第１の糸は織物の同じ側面または表面にある。一般にこれは第１の均一な色であるが、糸自体は様々な色を有し得る。したがって、糸層間にスワップは存在しない。
【００５５】
対照的に、図１ｂにおいて、ステッチ１は上層に第１の糸を有し、同じことがステッチ４にも言える。ステッチ２および３の上層は第２の糸から成る。ステッチ１と２、およびステッチ３と４との間の移行は、第２の糸が織物の前面へスワップし、ステッチ１からステッチ２へ移動し、次に裏面へ戻り、ステッチ３からステッチ４へ移動するという第２の糸の一続きによって示される。したがって、図式的に示すのみであるが、この移行には追加の長さの糸２が必要であることが明らかである。ステッチ２および３に関して前面から裏面へ通過する糸１にも同じことが言える。
【００５６】
図２ａ〜２ｃは、選択的パターンの３つの図を示す。これらの図から、同じ値のＤを有するサンプルが実際にどのように異なるパターンを有し得るかが理解され得る。図２ａおよび図２ｂは、同じ数の水平スワップおよびそれに伴い同じ値のＤを共有するが、視覚的には異なる。図２ｃは、水平スワップを有さず、これは単一の均一な色のサンプルの場合と同じであるが、またそれとは異なるパターンを有する。
【００５７】
他の全ての因子は等しくとも、結果として生じる織物領域のサイズにおける変動とスワップの数との間に必ずしも直線関係があるのではなく、何らかの差異が存在する。２つの糸の間に多数のスワップを有する織物は、ステッチの観念的数および個々のステッチの各々のサイズまたは長さが同じであっても、少ない数のスワップを有するものと比べて衣服または織物領域の物理的寸法における増加をもたらす。
【００５８】
製造中にステッチのテンションを制御可能に変化させることによって、機械編成物品に高度な一貫性、予測性、および均一性が実現され得ることを認める方法および装置が提供される。所与のパネルにおけるステッチに付与されるテンションとその結果生じる寸法との間の相互作用を記述し、それによって、異なるパネルパターン密度を有する部分の間に元来生じるステッチ長さのばらつきが補償されることを可能にする方法を組み込む多変量モデルが提供される。
【００５９】
後述するように、テンション情報は、所与のパネルに適用されるパターンの分析によって自動的に計算され、編機へ供給するための機械ファイルに直接統合される。これは、遠隔的に実現され、編機への機械ファイルの一部として提供され得るか、あるいは編機に統合されたコントローラまたはプロセッサによって行われ得る。
【００６０】
これによって、任意のパターンが、寸法および視覚的概観において向上した一貫性を有して編成されることが可能である。複雑かつ動的なパターンを有するパネルが、必要な寸法まで正確かつ確実に編成されることができ、業務用編機における独自のユーザカスタマイズされた衣服の製造が容易になる。
【００６１】
製造される所与のパターンに関して、ステッチ長さにおける特定の変化（およびそれに伴う糸張力）が編機内で用いられることを可能にする多変量モデルが作成された。複数のパラメータが定義され、後に編機へのテンション入力を生成するために用いられるモデルが生成される。用いられる１つの特定のモデルの細部が後述されるが、理解されるように、このモデルに対する修正が用いられてよく、このモデルは、編機で用いられる糸張力またはステッチ長さにおける必要な変化の決定を実現する唯一の方法ではない。ステッチ長さと糸張力との間の関係の例は、図１８および図１９を参照して後述される。
【００６２】
またモデルは、列全体におけるステッチ長さの変化によって、編成される物品におけるその列全体に用いられる糸の長さも可能にする。すなわち、モデルは個々のステッチ長さを決定するために用いられ得るが、これらは列全体にわたって平均化または制御されてよく、個々のステッチ長さは、編成物品の列全体にわたり所望の長さの糸が使用されることを確実にするために範囲内で変化し得る。
パターンに関するステッチ長さを決定するためのモデル
パターン内のステッチに用いられるステッチ長さまたはテンションを決定するためのモデルの例がここで説明される。モデルは典型例であり、機械編成織物または衣服のサイズにおける予測性および信頼性を確実にするために必要な可変テンションを決定するために、他のモデルが用いられてよい。
【００６３】
モデルは、編成物品におけるステッチテンションおよびそれに伴う長さを決定するために用いられ得る多変量モデルである。モデルの一部として、パラメータは、編成物品の実例から定義または計算される。モデルはその後、パラメータを用いて作成され、このモデルは、所望の出力を実現するために予測を行い編機のための制御入力を決定するために後に用いられ得る。
【００６４】
１つの非限定的な例において、モデル内の因数は、ＡｐＳ（ステッチごとの面積）および密度グラフの平均勾配、ＡｐＳ切片およびＴ（テンション）線の勾配、ＡｐＳ切片およびＴ直線の切片、ＲおよびＤ傾向線（Ｒは、サンプル内の全てのステッチに関する平均ｙ寸法にわたる平均ｘ寸法）の平均勾配、Ｒ切片およびＴ直線の勾配、およびＲ切片およびＴ直線の切片のいずれか１つまたは複数を含んでよい。
【００６５】
１つの非限定的な特定の例を詳しく見ると、存在するステッチに対するスワップの比に等しい密度「Ｄ」の係数が定義される。図１ａおよび図１ｂを見ると、理解されるように、これらの部分において、図１ａでは、４つのステッチに関してスワップが存在しないので、０の密度Ｄがもたらされる。図１ｂにおいて、４つのステッチに２つのスワップが存在するので、０．５の密度Ｄがもたらされる。スワップの数はステッチの数を超えないので、Ｄは０〜１の固定範囲を有し、拡張領域にわたって、またはステッチごとに指定され得る。本明細書で用いられる場合、所与のパターンに関する「密度」という用語は、特に記載されない限り係数Ｄを指す。
【００６６】
図２０の略図を参照して以下で説明される一般的な業務用編機において、任意の所与のステッチが生成されるテンションは、ステッチ長さが既定または所望の値であるように可変的に制御される。１つの例において、これは通常、編機内のステッパモータのシステムによって実現され得る。サンプルの製造時、ステッパモータによって糸に付与される物理的引張力に対応するテンションが指定され得る。
【００６７】
この方法が用いられ得る編機の例は、Ｓｔｏｌｌ社または島精機製のものを含み、Ｓｔｏｌｌ  ＣＭＳシリーズおよび島精機ＳＶＲおよびＭａｃｈ２シリーズを含むがこれに限定されない。
【００６８】
モデルを最初に生成するために、バッチの数において、いくつかのサンプルが（Ｓｔｏｌｌ編機を用いて）編成され、これらのサンプルの各々は、２つのパラメータ
１．ステッチごとの面積（ＡＰＳ）、および
２．後述される、
【００６９】
【数３】
2020509257.tif 000005
【００７０】
として定義されるパラメータＲ、すなわち所与のサンプルに関してｙの平均値で割り算されたｘの平均値
の値を決定するために測定された。
【００７１】
サンプルが測定された方法における一貫性を実現するために、サンプルに関するＲの値を決定するための方法がその際決定された。各サンプルのｘ寸法およびｙ寸法の両方に関して、単純な巻尺計測を用いて５つの等距離読取りが行われた。わずかに内側に湾曲する側面を有する十分に一定の長方形状をとるサンプルの場合、これらの読取りは、ｘに関して最も低いところから最も高いところまで可能な限り完全に水平な直線で、ｙに関して最も右側から最も左側までの垂直線で行われ、湾曲縁部の影響が最小限にされた。ｘ軸の両極端における２列のステッチも除外された。一般に、編機への入力として用いられるパターンにおいて、これらの縁部ステッチは、層が適切に接合することを確実にするためにソフトウェア内で上書きされる。したがって、各サンプルに関するＲの値を決定するために、オリジナルパターンから残り１９６のステッチのみが考慮された。最終的に、各軸からの５つの読取りの平均が真のｘおよびｙ値とされ、全ての分析に用いられた。このプロセスは、図面において図３Ａ〜３Ｃに示される。
【００７２】
また留意すべき重要な点として、全てのサンプルは、測定前に軽く蒸気を当てられた。このプロセスは、編機から出たばかりのサンプルに見られる糸構造におけるあらゆる内部応力を緩和するために役立ち、一貫性を確実にする。実際、最初の蒸気処理は、サンプルの多くにおける極端に目に見える即時的変化をもたらす。後述するように、サンプルの洗浄に関する後の調査は、任意の更なる内部緩和が可能であったかを決定することを目的としていた。
【００７３】
図３ａ〜３ｃは、本方法を用いて製造された織物または衣服のサンプルの面積の一貫した近似をもたらすために用いられる測定手順の図を示す。２つの直交する方向ｘおよびｙに複数の測定が行われ、よってｘ寸法およびｙ寸法の各々に関する平均値が決定される。平均面積はその後、平均寸法ｘおよびｙを用いて単純に計算され得る。
【００７４】
図３ａは、衣服の長さに沿った様々な位置で複数のｘ寸法測定がどのように行われたかを示す。平均ｘ値が決定される。同様のプロセスがｙ寸法において行われ、その後、図３ｃに示すように平均面積が計算される。
【００７５】
図４は、用いられるパターンの密度Ｄと、ニットサンプルに関する測定面積との比例を表すグラフを示す。図５は、サンプルのＡｐＳとＤとの関係を示し、ＡｐＳとＤとの比例はテンション（Ｔ）とは無関係であり、傾向は、ＡｐＳ軸におけるそれらのオフセットまたは切片によってのみ異なることを論証する。
【００７６】
よって、ＴとともにＡＰＳ切片における変動を示す図６に示すように、この切片はＴに比例することが留意された。
【００７７】
図４および図５に関して上述したように、図６および図７に示すように、ＲおよびＤならびにそれらの対応する切片およびＴによって同様の傾向が共有される。標準的なエラー伝搬法を用いて全てのグラフに関してエラーバーが計算されたが、サイズが小さいことにより図４を除くすべてのグラフにおいて省略される。
【００７８】
これらのグラフを用いて、変数間の関係を説明するために６つのパラメータが定義された。６つのパラメータは、
ａ：（図５の）ＡｐＳおよびＤグラフの平均勾配
ｂ：ＡｐＳ切片およびＴ直線の勾配
ｃ：ＡｐＳ切片およびＴ直線の切片
ｅ：ＲおよびＤ傾向線の平均勾配
ｆ：Ｒ切片およびＴ直線の勾配
ｇ：Ｒ切片およびＴ直線の切片
である。
【００７９】
これらによって、以下の式を用いて個々のステッチの寸法ＳｘおよびＳｙを決定することができる。
【００８０】
【数４】
2020509257.tif 000006
【００８１】
式３および４におけるＳｙおよびＳｘはそれぞれ、所与のステッチのｙおよびｘ寸法である。これによって、これらの値と各方向におけるステッチの数とを単純に乗算することにより、サンプルの寸法を計算することができる。サンプルのｙ寸法を決定するために、値Ｓｙは、サンプル内の列の数で乗算され得る。
【００８２】
これらのパラメータの値は上記式の形式とともに、２色サンプルに関するテンション制御モデルを表す。このモデルを用いて、Ｔが既知でありＤが計算され得る限り、任意のサイズおよびパターンのサンプルの寸法を予測することが可能である。この趣旨で、３０全てのサンプルの予測寸法が計算され、それらの測定寸法と比較された。図８に示すように、これらの予測は、測定値と６％より大きくずれることはなく、多くの場合、更に正確であった。また留意すべき重要な点として、全３０のサンプルにわたるｘおよびｙの両方における平均誤差は０であったが、これは場合によっては、パラメータが計算された方法から予想され得る。
【００８３】
これらの誤差はおそらく、図に示すようにＤに対して、またはＴに対して作図された場合、特定の傾向を示さないことから、測定におけるランダム誤差と編成サンプルの寸法との積である。これらは、それらの寸法の計算に用いられたパラメータの精度のみに依存するので、結果のプールにより多くのサンプルを追加することによってこれらの値の品質を高めることのみが誤差を減少させる。
【００８４】
このように、ステッチの所望のサイズを実現するためにステッチに付与されるテンションＴの必須値が決定され得る。衣服または織物全体にわたり、パターンの密度Ｄが既知である場合に特定のサイズの衣服を製造するためにステッチのサイズが決定され得る。Ｄは、任意の所与のパターンに関して既知である。その結果、糸張力を制御するために用いられる編機またはステッパモータのために必要な入力または制御が決定され得る。
【００８５】
モデルの有効性の更なる試験は、Ｄ値の範囲全体（０〜１）をカバーする様々なサイズの５つの個別領域を含む「最悪の場合の」サンプルの製造であった。実際の衣服において、このサンプル内の短い距離にわたる極端な密度変化に直面することはめったになく、多くのパターンは、より自然で段階的な変化を示す。単一の均一なテンション値を用いてこの種のサンプルを編成することにより、個別領域が必然的に様々な寸法を有することになるので、極端に歪んだ予測不可能な形状が生じる。
【００８６】
パターンは、５つのテンション領域を割り当てられ、その特定の領域を必要な均一サイズにするために各々の値が計算された。小さな領域の寸法の和は、サンプルの標的サイズとみなされ、３００×４０３ｍｍのサイズのサンプルをもたらすために１０．５５〜１２．０５範囲のＴ値が用いられた。
【００８７】
測定時、調整されたテンションを有する完了したサンプルは、３１４×４２９ｍｍの寸法を有し、ｘおよびｙ寸法に関してそれぞれ４％および６％の差異を示すことが分かった。視覚的にもサンプルは十分に均一な形状を有し、制御可能な寸法として望まれるとおり均等な特徴を有した。この極端なサンプルに簡略化形式で適用された時にこの初期のモデルの精度が満たされると、調査は、ステッチごとにテンション値を適用して継続した。
【００８８】
モデルによって行われた予測における誤差を更に低減するために、ＲおよびＤ直線の勾配が単一値に近似されないように修正がなされた。図７に見られるように、異なる値のＴに関してＲ−Ｄ直線の勾配が異なることは明確な事実である。
【００８９】
所与のテンションに関するＲおよびＤ直線の勾配間の関係に基づいて、その直線に関するテンションＴの値に比例する第７のパラメータがモデルに追加された。
【００９０】
したがってモデルは以下のように表される。
ａ：ＡｐＳおよびＤ傾向線の平均勾配
ｂ：ＡｐＳ切片およびＴ直線の勾配
ｃ：ＡｐＳ切片およびＴ直線の切片
ｅ：Ｒ−Ｄ勾配およびＴ直線の勾配
ｆ：Ｒ切片およびＴ直線の勾配
ｇ：Ｒ切片およびＴ直線の切片
ｈ：Ｒ−Ｄ勾配およびＴ直線の切片
【００９１】
【数５】
2020509257.tif 000007
【００９２】
したがって、上述したモデルの例と比較すると、この追加例において、パラメータｅは、Ｒ−Ｄ勾配およびＴ直線の勾配として定義されるように変えられ、Ｒ−Ｄ勾配およびＴ直線の切片として定義される追加のパラメータｈが用いられる。また、Ｒの定義は、次のように変数ｈを含むように修正される：Ｒ＝（ｅＴ＋ｈ）Ｄ＋ｆＴ＋ｇ。
【００９３】
この追加による主要な利益は、Ｒの推定における全体誤差の低減であった。平均誤差は０のままであったが、予測の標準偏差は２色セットの場合４．２％から２．４％へ、３色セットの場合７．３％から４．７％へ減少し、３色セットに関するより大きな値は、２色と比べてサイズが小さいことに起因する。
【００９４】
これらの値の更なる改善が以下の調査の一部の目的であり、この調査において、更に１２の２色サンプルおよび更に２５の３色サンプルが製造され、各セットの合計はそれぞれ４２および４４となった。これらのデータ点の追加は、新たな７パラメータモデルの使用とともに、２色および３色に関してそれぞれ１．８％および２．９％まで減少した寸法の誤差における標準偏差を示した。また、均一なテンションを用いて編成されたユーザ生成パターンの小さなセットに関する予測寸法における最大誤差は、１．４％および１．５％まで減少した。パターンは、モデルが実際に適用されるパターンとより一致するため、この予測のセットは、モデルの精度に関する重要な基準を表した。これらのレベルまで最大誤差を低減することにより、たとえば機械自体またはその制御ソフトウェアによって生じる誤差など他の誤差源に関するある程度の余地が許容される。
【００９５】
したがって、この典型的なモデルを用いることによって、パターンの密度Ｄ（またはパターン内のスワップの数）が既知である限り、編成物品に所望の全体形状および寸法をもたらすために必要なステッチ長さ（またはテンション）を決定することが可能である。上述したモデルの具体例は、所与の密度Ｄに関して、既知の値の密度を有する織物領域内にあるステッチに用いられるべきステッチ長さの値を決定するための効率的かつ単純な方法を提供する。理解されるように、上に挙げた例は良好に機能するが、ここでの一般教示は、経験的モデルの使用によって、編機において使用可能なステッチ長さの値は、機械から出力される織物または衣服が予測可能かつ所望の品質を有するような方法で決定され得ることである。要するに、事前に行われる計算によって、編機のための制御パラメータを決定するために試行錯誤する必要なく定められた所望のサイズを有する単一の注文仕立ての物品を製造するための方法が用いられ得る。
洗浄
図１３および図１４は、サンプルの寸法が洗浄によってどのように変化するかを示す。図１３は、２色のサンプルを洗浄する例を示し、図１４は、３色のサンプルを洗浄する例を示す。
【００９６】
当然常に予想されることであるが、洗浄後に寸法が何らかの変化を受けるようであるものとすると、モデルに入力されるパラメータの値は対応して変化することが意味される。
糸
モデルは、後続する編成に使用される糸に関わらず用いられ得る。その例は、メリノウール、高品質カシミア、および他の糸も含む。
モデル試験
個々のステッチに独立したテンション値を適用することは、標準または従来型の機械制御ソフトウェアを用いて可能ではない。ただし、適切な制御および入力が用いられる場合、編機はこのように使用され得ることが認識されている。これは現在、所与のパネルを製造するために用いられる修正ファイルの使用によって実現されており、ファイルは、その中に正確な命令を有する。好適な例において、機械ファイルは、たとえばＳｔｏｌｌ社または島精機製の編機などの編機とともに使用するためのものである。上述したように、実際には、編機において最も容易に制御されるのは、針の各々が制御されて動く深さである。針の深さまたはステッチ長さが大きいほど、一般にテンションも大きくなるため、これは、個々のステッチに所望のテンションを加えるために用いられ得る。
【００９７】
機械ファイルは、たとえばパターン、色、構造、形状、およびテンション情報などのパラメータが挿入される一連のテンプレートを用いて生成され、所望のパネルが、比較的少ない人間の相互作用で仕様通り編成されることを可能にする。
入力ファイル
編機によって所望の衣服を生成するためにファイルが生成され得るプロセスが説明される。衣服が製造される時、パターンは一般に、編機用の制御ソフトウェアに受け渡される単純なビットマップファイルによって指定される。ビットマップの各ピクセルは、結果として生じるサンプル内のステッチに直接対応し、各ステッチを編成するために使用される糸は、ピクセルのＲＧＢ色によって指定される。また、機械は、主要パターンの上下に、「テクニカルステージ」と称される何列かのステッチを追加し、これは正確な機械機能のために必要である。
【００９８】
ビットマップが作成された後、機械ソフトウェアは、各ステッチにテンションを割り当て、機械自体に受け渡されるファイルを生成する。テンションの割当ては、色分けシステムを介して主動で行われる。大きな領域に関しては単純であるが、多数の小さな領域へのテンションの割当ては、極端に時間がかかり、実行が困難なものになる。また、そのような機械が独立したテンション値で個々のステッチを編成する能力は、従来のソフトウェアには実装されていない。機械ファイルの修正は複雑であるが、理論的には、テンションがステッチごとに付与されることを可能にし、最も精密な衣服サイズの制御をもたらす。
【００９９】
上述したように、本方法において、そのような編機に従来の制御ソフトウェアを用いる代わりに、正確なテンション命令を含むファイルが生成される。これは、図１５ａ〜１５ｃおよび図１６ａ〜１６ｃに示され、これらを参照してここで説明されるような特定の複雑な試験パターンの使用と連動することが示されている。この例において、「波」パターンと称されるパターンは、パターン領域における密度の急速な変化ならびにサンプル全体にわたる不均一な全体密度の両方を特徴とする。
【０１００】
図１５ａにおいて、所望のパターン例が最初に示される。これにより、図１５ｂに見られるように初期密度マップが生成される。したがって、パターンに基づいて、パターンの２次元面積にわたって高解像度の密度マップを生成するためにスワップの密度が決定される。１つの例において、密度マップは、水平差分ケーネルを用い、多列ウィンドウ平均を適用することによって決定される。理解されるように、密度は、定められた領域内のステッチ間のスワップの相対数を指すので、単一のステッチがそれ自体で密度を有することはできない。
【０１０１】
初期密度マップが生成されると（図１５ｂに示す）、これにぼかしが適用され、後続する処理ステップにおいてステッチ長さ値が決定されることを可能にするために役立つ処理された密度マップが生成される。図１５ｃの例において、図１５ｂの初期密度マップにガウシアンぼかしが適用される。
【０１０２】
図１６ａ〜１６ｃを見ると、１６ａはパターン例を再び示す。図１５ｂおよび図１５ｃを参照して説明された処理によって、上述したモデルを用いて標的テンションマップが計算される。図１６ａは、織物に編成される実際の所望のパターンを再び示す。図１５ｃの処理された密度マップは、入力として受け取られ、上述したパラメータ化モデルとともに、図１６ｂに示す初期テンションまたはステッチ長さマップが生成される。初期テンションまたはステッチ長さマップは、その後、最小水平領域サイズを指定することによって使用可能な数の独自のテンションに量子化される。量子化テンションマップは図１６ｃに示される。量子化が実現され得る方法の一例は、たとえば周知のフロイドスタインバーグディザリングアルゴリズムなどのディザリングアルゴリズムを用いることである。
【０１０３】
この例において、初期テンションまたはステッチ長さマップにおいて、各ステッチに関して利用可能なテンションの値の全セットは大きく、たとえば２５の値のテンションまたはステッチ長さを含む。この数は理論的には用いられ得るが、そのような大きな数のテンションまたはステッチ長さ値は現在の編機において実行することが難しいので、更なる量子化ステップによって数は低減される。一般に、低減または量子化されたセットにおける値の数は、おおよそ１０〜１６である。図１６ｃの具体例において、セット内の値の数は１５まで低減される。
【０１０４】
最小水平領域サイズは、幅が１〜１０ステッチのいずれかであってよい。示される例において、６ステッチの最小水平領域サイズが用いられた。
【０１０５】
また、任意選択的な糸依存の安全制限が用いられ、たとえば特定の値のテンションが必要であると決定されたが、それがたとえば特定の糸の制限と一致しない場合、テンションの値はそれに応じて修正される。したがって、図１６ｃは、このように編機のための制御ファイルにおける入力として用いられ得るテンションマップを示す。
【０１０６】
一般に、初期完全テンションマップは、その中にたとえば１９の独立したテンション値を有し得るが、編機への入力として用いるために量子化されたテンションマップにおいて、値はたとえば１０まで低減される。
【０１０７】
図１７ａおよび図１７ｂは、最初に決定されたテンションマップの更なる例（図１７ａ）、および次にテンションの数が元の値１９から量子化された値１０まで低減された量子化バージョン（図１７ｂ）を示す。
【０１０８】
量子化テンションマップの生成中に適用されるフィルタおよびガウシアンぼかしは、出力ファイルにおける所望のレベルの量子化を実現するために変えられ、選択され得る。一般に、選択されたフィルタは、
・半径５ピクセルのガウシアンぼかし
・９ピクセルウィンドウにおけるメディアンフィルタ
・９ピクセルウィンドウにおけるモーダルフィルタ
・７ピクセルウィンドウにおける最大値フィルタ
・７ピクセルウィンドウにおける最小値フィルタ
を含むグループから選択されたいずれか１または複数であってよい。
【０１０９】
また、密度マップの作成に使用されるウィンドウサイズに関連するｉパラメータに関する様々な値も試験された。デフォルトの６を別として、値３、９、１２、および１５が試験された。
【０１１０】
しかし、様々なフィルタを用いて作成されたマップにおける目に見える顕著な差異にもかかわらず、寸法および概観における変化は取るに足らないものであった。どの技術も他に対する明確な改善でなかったため、元のぼかしフィルタおよび６のｉ値を継続して用いることが決定された。
【０１１１】
より広範なまたは標的化された試験は、好適なフィルタリング法を明らかにし得る。具体的には、より大きなｉ値は、鋭利な変化または様々な密度の個別帯域を含むサンプルの外観および一貫性を向上させ得る。最小または最大フィルタはまた、相対テンションの領域およびその結果生じるパネル寸法における一貫性を残しつつ、所与のサンプルを締め、または緩める用途も有し得る。
【０１１２】
一貫して、ステッチテンションとステッチ長さとの関係は事実上、逆直線関係であることが説明された。これは、上述した典型的なモデルを用いて計算されるような密度Ｄ、テンション、およびステッチ長さの関係の３次元プロットを示す図１８に模式的に示される。図１９は、図１８の３Ｄプロットから引用された直線の選択を示し、０．９ｍｍから１．７ｍｍまで変化するステッチ長さの定数値に関するテンションおよび密度の変動を示す。
【０１１３】
図２０は、編機２の略図である。この機械は、制御ユニット４を組み込む本体を備える。各々が対応する糸８によって編成するように構成された複数の針６が提供される。各々が制御ユニット４からの制御または駆動信号を受信するように構成された複数のステッパモータ１０が提供される。制御ユニットは、上述した方法を実行するために編成中に糸に付与されるテンションを変化させるためにステッパモータを制御するように構成され、それによってテンションは、編成されるパターンに依存して変化する。
【０１１４】
示される例において、編機２は、制御コンピュータ１６を介してネットワーク１２へ結合され、ネットワーク１２は、ユーザ端末１４を介してユーザからの命令を受信することを可能にするパブリックまたはプライベートネットワークであってよい。したがってこの機械は、ユーザの端末１４から遠隔に、または制御コンピュータ１６からローカルにデータを受信することができる。上述した方法またはモデルに従って計算され得るテンション情報は、好適には、編機に供給するための機械ファイルに直接統合される。
【０１１５】
様々なコンピュータ１６および１４は、それら全ての内容全体が参照によって本明細書に組み込まれる、同時係属中の国際出願ＰＣＴ／ＥＰ２０１５／０６１３７５号、ＰＣＴ／ＥＰ２０１５／０７６４８５号、およびＰＣＴ／ＥＰ２０１６／０５２５７１号に従って動作するように構成され得る。
【０１１６】
本方法は、様々な種類のジャカード、すなわち多色の糸を用いて像を成すことができる構造の製造に適用され得る。この方法が適用され得るジャカード構造の例は、網織、綾織、浮き織、ツイルタック、ラダーバック、ストライプ、およびバーズアイを含む。これらの構造は、標準的な編成動作およびステッチの様々な組み合わせを用いて生成される。上記構造において用いられ得る最も一般的に用いられるステッチの一部の非網羅的リストは、表編み、裏編み、タック、ミス／ドロップ、ポインテール、およびスプリットステッチである。
【０１１７】
本発明の実施形態は、示される例を具体的に参照して説明された。しかし、理解されるように、本発明の範囲内で説明された例に対する変形例および修正例が作成され得る。
【図１Ａ】
2020509257.tif 000010
【図１Ｂ】
2020509257.tif 000011
【図１Ｃ】
2020509257.tif 000012
【図１Ｄ】
2020509257.tif 000013
【図１Ｅ】
2020509257.tif 000014
【図１Ｆ】
2020509257.tif 000015
【図１Ｇ】
2020509257.tif 000016
【図２】
2020509257.tif 000017
【図３】
2020509257.tif 000018
【図４】
2020509257.tif 000019
【図５】
2020509257.tif 000020
【図６】
2020509257.tif 000021
【図７】
2020509257.tif 000022
【図８】
2020509257.tif 000023
【図９】
2020509257.tif 000024
【図１０】
2020509257.tif 000025
【図１１】
2020509257.tif 000026
【図１２】
2020509257.tif 000027
【図１３】
2020509257.tif 000028
【図１４】
2020509257.tif 000029
【図１５】
2020509257.tif 000030
【図１６】
2020509257.tif 000031
【図１７】
2020509257.tif 000032
【図１８】
2020509257.tif 000033
【図１９】
2020509257.tif 000034
【図２０】
2020509257.tif 000035
【国際調査報告】
2020509257.tif 000036
2020509257.tif 000037
2020509257.tif 000038